(57)【要約】      （修正有）【課題】４コマ動画が得られることを特徴とする画像変化表示シートを提供する。【解決手段】画像変化と４コマ動画が得られる画像変化表示シート１は、（１）田の字型に構成された４つの同寸の正方形からなるユニットを４つ組み合わせて、１６分割構成された正方形を設けて配置し、表裏全面を画像配置スペースとする。（２）上記画像配置スペースの片面、もしくは両面に任意の画像を配置する。（３）４コマ動画の元になる連続する４枚の画像を合成分解する際に用いた４マス方眼ユニットと同じピッチを有し、且つ４マス方眼の４分の１マスを白色もしくは黒色で表現し、集合ドットパターンを構成して用意する。（４）上記の集合ドットパターンを動画要素のあるパターン画像として画像配置スペースに表現されている任意の画像の上に重ねて配置し、明暗調整を施して複合表示させる。以上の構成から成り、動画要素が埋め込まれた展開配置画像が表現されたシートを定められた折順で、且つ４工程で折り畳むことにより、４コマ動画が得られる。  【選択図】図１
0003218734.tif 000002
【実用新案登録請求の範囲】
【請求項１】
（イ）４つの同寸の正方形を田の字型に構成してユニットとし、さらに、このユニット４つを田の字型に組み合わせて、１６分割構成された正方形を設ける。
（ロ）折り畳み可能なシート素材を用いて、１６分割構成された正方形の画像配置スペースを設ける。
（ハ）上記（ロ）の正方形の画像配置スペースのあるシート素材の表裏全体もしくは一部に、静止画像や４コマ動画が視認できる動画要素を埋め込んだパターン画像を展開配置画像として配置する。
以上の構成より成り、展開配置画像が表現されたシートを定められた折順で且つ４工程に限定して折り畳むことで、シートの折重なりによって組合せ変化した新たな意味を持つ１つの画像を表出させたり、動画要素を埋め込んだパターン画像に反応し、マスク機能を有する専用の動画視認用具を用いて作動させることにより、４コマ動画が得られることを特徴とする画像変化表示シート。
【請求項２】
（ニ）請求項１内の（イ）記載の１６分割構成された正方形ユニットを４つ用意し、田の字型に組み合わせて、６４分割構成された正方形を設ける。
（ホ）折り畳み可能なシート素材を用いて、６４分割構成された正方形の画像配置スペースを設ける。
（ヘ）上記（ホ）の正方形の画像配置スペースのあるシート素材の表裏全体もしくは一部に、静止画像や４コマ動画が視認できる動画要素を埋め込んだパターン画像を展開配置画像として配置する。
以上の構成より成り、展開配置画像が表現されたシートを定められた折順で且つ８工程に限定して折り畳むことで、シートの折重なりによって組合せ変化した新たな意味を持つ４つの画像を４個所に表出させたり、動画要素を埋め込んだパターン画像に反応し、マスク機能を有する専用の動画視認用具を用いて作動させることにより、４コマ動画が得られることを特徴とする画像変化表示シート。
【請求項３】
（ト）請求項１の実施に適応する画像と、請求項２の実施に適応する画像の２種類を同一寸法に調整し用意する。
（チ）折り畳み可能なシート素材を用いて、６４分割構成された正方形の画像配置スペースを設ける。
（リ）上記（ト）で用意した２種類の画像を、（チ）で設けた６４分割構成された正方形の画像配置スペースの同一面に重ねて配置、もしくは表裏別面に分離させて配置する。
以上の構成より成り、展開配置画像が表現されたシートを定められた折順で且つ４工程に限定して折り畳むことにより、シートの折重なりによって組合せ変化した新たな意味を持つ１つの画像を表出させたり、リセットして折り方を変え、当初と同じ面もしくは反対面を８工程に限定して折り畳むことにより、新たな意味を持つ４つの画像を４個所に表出させたり、さらに動画要素を埋め込んだパターン画像に反応し、マスク機能を有する専用の動画視認用具を使用して、４コマ動画が得られることを特徴とする画像変化表示シート。
【考案の詳細な説明】
【技術分野】
【０００１】  本考案は、折り畳めるシート状素材を用いて、素材に表現された画像同士の折重なりによって表出する画像の組合せ変化を得たり、用具を介して４コマ動画を得たりすることができる、視覚的効果の大きい画像変化表示シートに関するものである。特に折り畳む工程や回数を変えることによって、変化して表出される画像の独特な表情に着目し、従来無かった表現方法を考案した。静止画像の変化や動画表示表現など動的変化を有する特徴があり、従来公知されている方法とは差別化できる大きな特徴を持つものである。
【背景技術】
【０００２】  洋の東西を問わず、古くから紙や布などの折り方や、折加工について多くの方法があることは知られている。それぞれの地域での伝統的な様式や、独自の工夫や研究がなされ進化してきた。日本では紙を素材として折紙や折形に代表される伝統的な表現様式や風習として生活に溶け込み、年中行事を含め多くの場面で表現されている。また古くから「変り絵」「かくし絵」などの遊具として発展、展開されてきたものもある。（例えば非特許文献１参照）【０００３】  非特許文献１の概要を説明する。一枚のシートの中心部に着物姿の人物の絵柄が配置されている。絵柄周囲は四角い枠で囲まれ、枠の上下左右の線に沿って辺の折込みが可能になっている。裏面にはあらかじめ４個所に場面が描かれている。任意の辺を折込む事によって表裏面の絵柄が重なり合って中心部の絵柄が数種類に変化する。和紙に版画で刷られているこの「変り絵」は、江戸時代の庶民の娯楽の一つであったようだ。【０００４】  また海外でも同じように紙面全体に絵柄を施し、画面変化の効果を取り入れて、初期表示画像と違った表情を味わう遊具や、遊びの要素が進化してパズルに発展していったものもある。基本図形は四角形が圧倒的に多いが、正三角形を基本ユニットとして考案されたものも見受けられる。ホールディング・パズルと呼ばれるスタイルをはじめ、多くの事例を見る事ができる。（例えば非特許文献２参照。）【０００５】  非特許文献２の概要を説明する。あらかじめ片側の紙面内の４分割された場所に４匹の豚の絵柄が配置されている。また、折線が縦横に表示され折り畳む順番が記されている。シートを山折り・谷折りの指示通りに折り畳むと中心部が隠され、周辺部分の絵柄が重なり合って組合わされて、紙面全体に特定の人物の表情が見えてくるという折紙式かくし絵である。
【先行技術文献】
【特許文献】
【０００６】
【特許文献１】特開平１１−３２７４７９号公報
【特許文献】
【０００７】
【特許文献２】特開２０１５−００１７３３号公報
【非特許文献】
【０００８】
【非特許文献１】作者不詳「変り絵」、江戸中期、たばこと塩の博物館所蔵資料
【０００９】
【非特許文献２】作者不詳「ホールディング・パズル５匹目の豚を探せ」、１９３９年頃、アメリカインディアナ州立大学リリーライブラリ内スローカムコレクション所蔵資料
【考案の概要】
【考案が解決しようとする課題】
【００１０】  非特許文献１に関しては、構造が単純すぎるので面白みに欠け、それ以上のものが無く物足りない。また、非特許文献２の場合は最終画像が表れる段階で、周囲の片をしっかり保持していないと全体の様子が解りにくい点、また、適切な折り方の工程指示がないと意図していることが正しく伝わらない点があった。【００１１】  シート状の素材を折り畳むことに関して、基本的に次のようなことが認識されている。用いるシート状素材の大きさにもよるが、数回折り畳むと厚みが増して、それ以上の実施に限界が生じてくる。シートの厚さ以外に使用素材の持つ弾性が少なからず影響していると思われる。従って提供する用品の用途やデザインの周辺環境にもよるが、折り畳んだシートを保持する適切な構造があることが望ましい。【００１２】  本考案は、従来有していた問題、つまり単純な折加工のみの技術だけでなく、素材表面に視覚効果の大きい新たな画像変化表示技術を加味し、シンプルな折りの機能と画像表示のビジュアル要素とを複合発展させ、楽しさを増大させることを目的とするものである。
【課題を解決するための手段】
【００１３】  日本の伝統的な美しい技法を継承しつつ、同じ折り畳む工程を辿る誰もが、迷わずに正確な最終段階の画像を表出させて、手に取ったすべての人を感動させる物にしたい。この願いを叶える方法を模索した。その為にはなるべく折り畳む回数を少なくしてシンプルにさせることが不可欠である。数多くの試行の末、４回折りと８回折りの方法を考案し、また、この２種類の方法を組み合わせ、効果的でしかも合理的な表示ができる折り方を工夫した。さらに基本構成のシンプルさを生かし、従来無かった表現に新たな画像表示技術を複合させ、付加価値を高め魅力あるものにした。
【考案の効果】
【００１４】  視覚的効果の影響は万国共通で、多くの人を惹き付ける不思議な魅力を持っている。折り畳むことによる効果は通常では味わえない、イリュージョン的な要素がある。従来は遊具的なイメージに留まっていたが、表裏の組合せ変化や、立体的要素を取入れることで展開バリエーションはさらに大きく拡がる。日常生活において、さりげない動きのある視覚効果は、心地良い驚きと共に人々の気持ちを楽しくさせ、心を豊かにさせる。【００１５】  驚きと魅力ある変化の要素には、大きさの変化、形の変化、動きの変化、それに色彩と明暗の変化などがある。これらの要素を１枚のシートに閉じ込めることができるのである。折り畳む順番や方法、また回数の制限などによって変化する外観形状とは異なる大きな魅力が潜んでいる。折り重なって複合して表出するビジュアル面での効果に着目したことが大きなポイントとなっている。【００１６】  前述の４回折りと８回折りの２種類の折り方に関しては、それぞれ請求項１、請求項２に連動して実施例と共に詳しく述べている。また、単独の実施でもそれぞれ長所を生かした個性を発揮するが、タイプの異なる２種類の表現イメージの相乗効果を得られることが請求項３の大きな特色であり、これも実施例と共に後述されている。視覚効果が人間の本能に強く訴え、利用価値の高いものとなっている。
【図面の簡単な説明】
【００１７】
【図１】  本考案の画像変化表示シートの全体構成を表す平面図
【図２】  図１のＡ−Ａの断面図
【図３】  ４回折りでの折り畳み工程１の全体図
【図４】  ４回折りでの折り畳み工程２の全体図
【図５】  ４回折りでの折り畳み工程３の全体図
【図６】  ４回折りでの最終工程の表出を示す全体図
【図７】  ８回折りにおける全体構成平面図
【図８】  ８回折りでの折り畳み工程１の全体図
【図９】  ８回折りでの折り畳み工程２の全体図
【図１０】  ８回折りでの折り畳み工程３の全体図
【図１１】  ８回折りでの折り畳み工程４の全体図
【図１２】  ８回折りでの折り畳み工程５の全体図
【図１３】  ８回折りでの折り畳み工程６の全体図
【図１４】  ８回折りでの折り畳み工程７の全体図
【図１５】  ８回折りでの折り畳み工程８の全体図
【図１６】  図１５の工程８における最終折込調整を完了させた全体図
【図１７】  折込合成表示画像に「花の絵」を用いた画像構成図
【図１８】  １６分割グリッドの４隅に画像配置を完了させた画像全体図
【図１９】  図１８に自由曲線を用いて加筆を完了させた画像全体図
【図２０】  折込合成表示画像に英字「Ａ」を用いた画像構成図
【図２１】  １６分割グリッドの４隅に画像配置を完了させた画像全体図
【図２２】  図２１にシンメトリーで加筆を完了させた画像全体図
【図２３】  折込合成表示画像に漢字「祝」を用いた画像構成図
【図２４】  分割配置画像に自由曲線を用いて加筆を完了させた画像全体図
【図２５】  分割配置画像にシンメトリーで加筆を完了させた画像全体図
【図２６】  折込合成表示画像に４種類の英字「ＡＢＣＤ」を用いた画像構成図
【図２７】  図２６の４種類の英字画像をそれぞれ４分割した全体構成図
【図２８】  図２７での４つのユニットを６４分割グリッドに配置した全体構成図
【図２９】  ６４分割配置を完了させた配置画像全体図
【図３０】  図２９の分割配置画像にシンメトリーで加筆を完了させた画像全体図
【図３１】  台紙に設置したストッパー機能を示す全体構成図
【図３２】  ストッパー周辺のデザイン処理例を示す全体構成図
【考案を実施するための形態】
【００１８】  実施に適した素材は、折曲げに対して耐久性の強い素材が望ましい。紙素材や布などの繊維素材が一般的であるが、化学繊維や不織布、ビニールなども特性を生かした使用法が考えられる。紙素材における和紙の場合は、繊維が強靭で風合いも格別である。
【００１９】  繊維素材は紙に無い魅力があり、しなやかさが際立つ。しわになってもアイロン処理で消えるメリットは大きい。折り畳む工程が主である用品にとって、この上ない魅力である。本考案の技術と繊維関連の独自の加工技術とが相俟って魅力はさらに拡がる。
【００２０】  画像の表現方法は素材が紙であれば一般的な印刷方法で対応できる。エンボスやホットスタンプなどの特種加工の併用も効果的である。また、レーザー加工による穿孔処理でも画像表現が可能である。また、繊維素材であっても対応する印刷方式で再現可能である。繊維素材は捺染などの染色、色糸を使用した織込や編込でも再現でき、世界各地に伝わる古い歴史のある刺繍技術も大いに活かされる。
【００２１】  ここで本考案の画像スペースに配置使用する４コマ動画像について説明する。特許文献１、特許文献２ともに４コマ動画の表示を得るための視覚表現技術に関する文献である。双方の技術は本考案と併用する価値の高いものである。
【００２２】  特許文献１の技術は実際に「動く絵本」の構成要素として利用されている。これは４枚の連続する静止画像を元にして、田の字型の４マスの方眼をユニットとするグリッドで分解合成して１枚の合成画像を作成する。そして、画像を分解したグリッドと同じピッチを持つ透明樹脂製の格子模様のマスクフィルムを絵の上に乗せて動画を得る方法である。
【００２３】  また、特許文献２の技術は新たな視覚表現技術である。４コマのシルエット合成画像を一体化し、それを透明樹脂製マスクとして使用して動画構成要素のあるパターン画像の上に乗せて動画を得る方法である。以上の技術のそれぞれの特徴を生かした表現方法を取り入れて複合させることができるので、大きな効果を上げることが期待できる。
【００２４】  本考案のシートを利用して４コマ動画の表示を得るために必要な動画視認用のマスク用具について説明する。対応品目にもよるが、素材、大きさ、使用用途、使用環境、形状などに深く影響してくる。
【００２５】  遮蔽マスクの具体的な実現方法としては、透明樹脂素材に印刷等による遮蔽性のある素材の塗布加工、不透明素材に穿孔して透過部を得る方法がある。それぞれの用途や条件に厳密に対応させる事ができ、幅広い候補から適確な素材を選択することが可能である。それによって個性を出すことができる。
【００２６】  選択する素材を仮に透明素材に限定しても、フィルムシートからアクリルブロックまで幅があり、それぞれが醸し出すイメージは様々である。商品イメージを左右するほど演出要素としても影響がある。また、コスト面での選択も重要である。したがって、４コマ画像表示とマスク用具は相関関係にあるので、素材選択はバランスを考えることが大切である。
【００２７】  相手素材との相性がある事も見落とせない。例えば、スライドパズルやスライドゲームにおける、ゲーム盤と盤上を移動する駒の関係である。移動しやすさ、滑りやすさが重要なポイントである。繊維素材対プラスチックやアクリルブロック。素材の検討は両方向からのチェックが重要である。前述したように選択の幅が広いので最適な素材をを選定できる。なお、実施例３においても詳しく述べている。
【００２８】  シートの画像配置スペースにはイラストや写真、文字、記号、パターンなどを配置できるので、バラエティ豊かな表情を持たせる事が可能である。また、片面のみでなく両面使用することで表示変化する部分が増加し、より複雑な表現を楽しむことができる。
【００２９】  請求項１の内容を反映した画像で、本考案の画像変化表示シートに使用する展開配置画像３の作成方法を図示しながら説明する。図面では解りやすく「花」のイラストを使用している。この方法で得られた展開配置画像３が表現されたシートを正確に折り畳んで行くと、４工程目に折込合成表示画像７が表示される。
【００３０】  まず最初に任意の画像を用意する。次に４つの同寸の正方形を田の字型に構成してユニットを作る。用意した画像を正方形のユニット全体に架かるように中心に配置し、左右どちらかに４５度傾ける。そして、画像を４つの正方形に４分割し、左上から時計回りにそれぞれ分割画像Ａ８、分割画像Ｂ９、分割画像Ｃ１０、分割画像Ｄ１１とする。図１７は花のイラストを使用した折込合成表示画像７の画像構成図を示してる。
【００３１】  前述した正方形ユニット４つを田の字型に組み合わせて、全体で１６分割された正方形を設ける。この正方形を１６分割グリッド２７と呼ぶ。次に前項で作ったそれぞれの４つの分割画像を、グリッド全体の４隅に移動配置する。図１８は１６分割グリッドの４隅に画像配置を完了させた画像全体図である。
【００３２】  次に、四隅に配置された４つの画像以外のスペースを自由に使って任意の画像を作る。図１８、図１９は四隅に配置された４つの画像を元に自由曲線を用いて加筆を準備し、完成させる過程が表されている。１６分割された内の１２個のスペースは、展開するのに十分なスペースであり、バラエティに富んだ創作表現が可能である。また、四隅に配置された画像をモチーフとして、それぞれを基準にシンメトリーの図形やパターンを展開して作成することも可能である。シンメトリーのパターン図形は、人に対し独自の効果を醸し出すことは古くから伝えられており、この効果も取り入れることができる。
【００３３】  折り畳んで表出される表示画像の制作方法を解りやすく「花のイラスト」を用いて説明してきたが、この画像素材を漢字や仮名文字、英文字、記号、写真などに差し替えて表現することは特に難しいことではない。それぞれを一つの図形として捉え、素材として利用できる。具体的な実施例として以下に取り上げて図示しておく。
【００３４】  図２０、図２１、図２２では折込合成表示画像７のモチーフに英字「Ａ」を用いてシンメトリー画法を使用して加筆を完了させた画像例の制作過程を表している。
【００３５】  図２３、図２４、図２５では折込合成表示画像７のモチーフに漢字の「祝」の文字を取り入れ、２種類の加筆展開例を紹介している。図２４は分割配置画像に自由曲線を用いて加筆を完了させた画像例である。図２５は分割配置画像にシンメトリーで加筆を完了させた画像例である。前述してあるが、同じ素材をモチーフに使用しても、展開の仕方でバラエティー豊かな表現ができることが分かる。
【００３６】  次に請求項２の内容を反映した画像、つまり、シート素材を８回折り畳んだ時に表出される４種類の画像の作成手順を図と共に説明する。この方法で得られた展開配置画像３が表現されたシートを正確に折り畳んで行くと、８工程目に４種類の画像が表示される。
【００３７】  まず、最終段階で表示させたい４種類の図形を用意する。図面では解りやすく４種類の英文字「ＡＢＣＤ」を使用して説明している。次に、田の字型に組み合わせた４つの正方形を用意してユニットとする。そして、左上から時計回りにＡＢＣＤの図形画像を配置する。図２６は４つに分割配置された画像構成図であり、折込合成表示画像７でもある。
【００３８】  前述の請求項１の展開配置画像３の作成方法で解説した要領で、４つの正方形の区域を分割画像Ｍ２３、分割画像Ｎ２４、分割画像Ｏ２５、分割画像Ｐ２６で４分割して１６分割グリッド２７を作成する。つまり、図２７は請求項１において作成される基本ユニットが４組集合している状態なのである。
【００３９】  次に６４分割グリッドの画像スペースを用意して、それを４区画に分け、４つの分割画像をそれぞれ配置する。図２７は、図２６の４種類の英字画像をそれぞれ４分割した全体構成を表し、図２８は、図２７での４つのユニットを６４分割グリッドに配置し、分割準備状態の全体構成を表している。
【００４０】  次の工程は、前述した図２８での分割配置実施作業である。請求項１における１つの画像を作成する方法とは異なり、４つの画像を異なる４個所に表出させることができる。また、位置の移動や変更が可能なので、４種類の図形を作成する設計段階で、この大きな特徴を生かしたい。図２９は、６４分割配置を完了させた配置画像全体図で、図３０は、図２９の分割配置画像にシンメトリーで加筆を完了させた画像全体図である。
【００４１】  ここでシートの２種類の折り畳み方に関して説明する。まず、基本の４回折りの工程を説明する。順を追って正確に折り畳んで行く。図１は本考案の画像変化表示シート１の全体構成を表す平面図であり、折り畳む前の状態である。図３は工程１を、図４は工程２を、図５は工程３を、図６は工程４をそれぞれ表している。折り畳む回数は最短４回で最終画像が表出する。工程が少なく解りやすい。ちなみに折順や折り曲げる方向を変えても最終段階で表れる画像は同じ画像となる。つまり、手に取って折り畳んだ誰もが、同じ条件で同じ最終画像を得ることができるのである。
【００４２】  次に８回折りの工程を説明する。図７は８回折りにおける全体構成平面図であり、折り畳む前の状態にある。図８は工程１を、図９は工程２を、図１０は工程３を、図１１は工程４を、図１２は工程５を、図１３は工程６を、図１４は工程７を、図１５は工程８をそれぞれ表している。また、図１１、図１３の下部に示した左方向の矢印は、工程を終えた後、全体を回転させて次の工程に移ることを示している。
【００４３】  図１６は図１５の工程８における最終折込調整を完了させた全体図である。８回折りのポイントは最終工程における交差折りである。つまり、図９における折り返し部分と、図１４における折り返し部分とを交差させて折り込む処理である。この折込処理をすることで、手で抑えなくてもバラけずに自立させることができる。独特の浮遊感が漂う半立体的なオブジェを形成している。この折り方は、布製の素材を用いても同じように折り畳むことができる。
【００４４】  請求項３の内容を反映した画像は、請求項１と請求項２それぞれの特長を複合させた案である。シート素材の片面のみを使用して１種類の視覚効果を倍加した表現や、シート両面を使用して２種類の異なる視覚効果の相乗効果を狙った表現が考えられる。さらに全請求項に対し、動画表示要素となるパターン画像の埋込み処理が可能なので、動画表示表現が得られる。さまざまな用途や条件に柔軟に対応させることができる。
【００４５】  動画要素となるパターン画像の加工処理をする場合は、加筆完了画像制作を終えた後の次のステップとしての作業工程となる。加工説明はここでは省くが、加工処理を完了させた画像の上に、動画視認フィルムをのせて動かすと、４コマ動画を楽しむことができる。
【００４６】  １枚のシートを折り畳む過程で画像出現の感動を味わう方法と、畳まれた状態から拡げる時に画像出現の感動を味わう方法の２つの流れがある。例えば、折り紙のように折り畳んだ最終段階の状態を基本とするか、風呂敷のように、使用後は元の状態に戻して収納しておくことを基本とするか、それぞれ色々なケースがある。用事を終えた後、折り畳んでいる時に、注意して表れる面を見つめることはそれほど無いと思われる。であるからこそ、何気なく折り畳んだ時に絵や文字が表出されることに驚きがあるのである。さらに製品として用途によって、大きさも選ぶ素材も変わってくる。また、いずれの流れであっても受け取る人の気持ちを想定し、変化しながら展開する流れを考えながら表示画面のデザイン構成をすることは、胸を躍らせるものがある。
【００４７】  画像表現の素材に関することであるが、本考案の４回折りと８回折りでの画像表示面の特長は、まさに「漢字」そのものが持つ特性と見事に合致している。我々が日常会話の中で「漢字一文字で表せば」といった表現や、「四字熟語で言うと」の表現は漢字使用国ならではのことかもしれない。しかし、漢字を文字や記号以外の視覚的伝達要素として捉えると、表現方法は限りなく豊かで魅力的なものとなる。
【００４８】  また、絵と文字が持つ本来の機能に関しても、役割と性質の違いがそこにあり、共通した要素が含まれる。つまり、文字そのものがビジュアル要素となった時に大きなインパクトを発揮するのである。このことは、前記で解説した漢字以外の欧文の文字でも変わらない。一見絵のように見える不可思議な図形が、折り畳んで表れた瞬間、文字となって変化しているのである。思いもよらぬ驚きを味わうであろう。
【実施例１】
【００４９】  本考案の特徴である視覚効果は、面白さと心地よい驚きの要素を備えている。グリーティングカードやメッセージカードとしての利用は、相手の気持ちを豊かにさせる最適なツールである。さりげなく渡し、受け取った相手の表情が見える場面設定が持てると、一層効果的である。シンプルな折紙スタイルのデザインは、親しみやすさが溢れている。【００５０】  グリーティングカードに使用する場合、折り畳んだシートの保持機構として、台紙に図３１のような円弧形の刃型処理が施されていると便利である。折り畳んだシートがばらけてしまう問題も解消される。ホルダーとして、シンプルなデザイン処理や図３２のような動物キャラクターのシルエットの一部として取り入れても効果的である。この他、紙を素材とした実施展開例として折紙はもとより、ノート、便箋、メモパッドなど生活を楽しくするコミュニケーションツールとして応用できる。
【実施例２】
【００５１】  ギフト用品として、布製のメッセージシートの実施例を紹介する。通常ギフト用品を裸で相手に渡すことは考えにくく、相応しいパッケージなどに納められて渡されるケースが多い。収納するときに４折り状態にしてセットすることで実施可能となる。贈る相手が箱を開けた時、最初に目にする４折り状態の時は象徴的な文字や図形が施されており、手に取っておもむろに拡げると、中から贈答者全員のメッセージが現れる趣向である。この他、繊維素材を活かした例として、ハンカチーフやナプキン、風呂敷、袱紗などの生活雑貨用品が考えられる。繊維素材が持つしなやかさは本考案の実施に最適である。
【実施例３】
【００５２】  本考案の特性を活かした実施例として、室内遊具の代表である盤面と駒をセットで用いるスライドゲームを紹介する。あらかじめ盤面表面には、動画要素を埋め込んだパターン画像の加工処理がされている。その上に置いた動画視認加工された透明ブロックの駒は、前後左右・全方位に移動させることにより、表示された画像が見事に動くのである。つまり従来の駒を移動させるスライドゲームは、盤面の駒の動く画像表示を伴って味わうことができる。駒によって動く方向が定められているチェスや将棋などのスライドゲームの駒の移動可能方向の表示には最適な実施例である。初心者向けの駒のデザインも対応できる。盤面の素材は、折り畳めるシートでもボードでも問題なく表現出来る。布製の袋形状にして、中を駒入れとして利用する方法も考えられる。さらに遊具として、等身大サイズに拡げて遊べる迷路パズルなども面白い。
【実施例４】
【００５３】  本考案を実施して得られる製品は、実際に手にした時にそれぞれの効果が伝わるのであるが、販売時点の店頭で陳列される場合、すでに、その段階で効果を発揮できるのは特筆すべき特徴である。既述の特許文献２の技術の一つに空間使用時での環境効果が述べられている。商品パッケージでの使用や店頭ディスプレーなどでの応用時に動画効果や浮遊効果を発揮するのである。店舗内に陳列された製品に表現されている画像が動いて見えるのである。売り場で商品を見ている顧客の驚いている顔が想像できる。従来無かった視覚効果技術であり、製品本体との相乗効果は大きなものである。【００５４】  本考案の視覚効果技術は、人間本来の持つ感覚に直接訴えるものである。前述したが、インパクトのある心地良い驚きをダイレクトに相手に伝えられる。日常の生活シーンでさりげなく利用されることがあれば、作品自体が一番喜ぶはずである。折り畳む一連の流れは見る人に感動を与えるであろう。広範囲な分野で、しかも総合デザインとして大きな効果が期待できる。
【符号の説明】
【００５５】１  画像変化表示シート
２  画像配置スペース
３  展開配置画像
４  シート素材
５  折曲げ線
６  中心線
７  折込合成表示画像
８  分割画像Ａ
９  分割画像Ｂ
１０  分割画像Ｃ
１１  分割画像Ｄ
１２  加筆予定部分
１３  加筆完了画像Ａ
１４  加筆完了画像Ｂ
１５  分割画像Ｅ
１６  分割画像Ｆ
１７  分割画像Ｇ
１８  分割画像Ｈ
１９  分割画像Ｉ
２０  分割画像Ｊ
２１  分割画像Ｋ
２２  分割画像Ｌ
２３  分割画像Ｍ
２４  分割画像Ｎ
２５  分割画像Ｏ
２６  分割画像Ｐ
２７  １６分割グリッド
２８  ６４分割グリッド
２９  メッセージカード台紙
３０  ストッパー
【図１】
0003218734.tif 000003
【図２】
0003218734.tif 000004
【図３】
0003218734.tif 000005
【図４】
0003218734.tif 000006
【図５】
0003218734.tif 000007
【図６】
0003218734.tif 000008
【図７】
0003218734.tif 000009
【図８】
0003218734.tif 000010
【図９】
0003218734.tif 000011
【図１０】
0003218734.tif 000012
【図１１】
0003218734.tif 000013
【図１２】
0003218734.tif 000014
【図１３】
0003218734.tif 000015
【図１４】
0003218734.tif 000016
【図１５】
0003218734.tif 000017
【図１６】
0003218734.tif 000018
【図１７】
0003218734.tif 000019
【図１８】
0003218734.tif 000020
【図１９】
0003218734.tif 000021
【図２０】
0003218734.tif 000022
【図２１】
0003218734.tif 000023
【図２２】
0003218734.tif 000024
【図２３】
0003218734.tif 000025
【図２４】
0003218734.tif 000026
【図２５】
0003218734.tif 000027
【図２６】
0003218734.tif 000028
【図２７】
0003218734.tif 000029
【図２８】
0003218734.tif 000030
【図２９】
0003218734.tif 000031
【図３０】
0003218734.tif 000032
【図３１】
0003218734.tif 000033
【図３２】
0003218734.tif 000034
【手続補正書】
【提出日】平成30年8月20日(2018.8.20)
【手続補正１】
【補正対象書類名】実用新案登録請求の範囲
【補正対象項目名】全文
【補正方法】変更
【補正の内容】
【実用新案登録請求の範囲】
【請求項１】
画像変化と４コマ動画が得られる画像変化表示シートにおいて、
（１）田の字型に構成された４つの同寸の正方形からなるユニットを４つ組み合わせて、１６分割構成された正方形を設けて配置し、表裏全面を画像配置スペースとする。
（２）上記画像配置スペースの片面、もしくは両面に任意の画像を配置する。
（３）４コマ動画の元になる連続する４枚の画像を合成分解する際に用いた４マス方眼ユニットと同じピッチを有し、且つ４マス方眼の４分の１マスを白色もしくは黒色で表現し、集合ドットパターンを構成して用意する。
（４）上記の集合ドットパターンを動画要素のあるパターン画像として画像配置スペースに表現されている任意の画像の上に重ねて配置し、明暗調整を施して複合表示させる。
以上の（１）〜（４）の構成から成り、動画要素が埋め込まれた展開配置画像が表現されたシートを定められた折順で、且つ４工程で折り畳むことで、シートの折重なりによって組合せ変化した新たな意味を持つ１つの画像を表出させたり、動画要素を埋め込んだパターン画像に反応し、マスク機能を有する専用の動画視認用具を用いて作動させることにより、４コマ動画が得られることを特徴とする画像変化表示シート。
【請求項２】
画像変化と４コマ動画が得られる画像変化表示シートにおいて、
（５）請求項１内の（１）記載の１６分割構成された正方形ユニットを４つ用意し、田の字型に組み合わせて、６４分割構成された正方形を設けて配置し、表裏全面を画像配置スペースとする。
（６）上記画像配置スペースの片面、もしくは両面に任意の画像を配置する。
（７）４コマ動画の元になる連続する４枚の画像を合成分解する際に用いた４マス方眼ユニットと同じピッチを有し、且つ４マス方眼の４分の１マスを白色もしくは黒色で表現し、集合ドットパターンを構成して用意する。
（８）上記の集合ドットパターンを動画要素のあるパターン画像として画像配置スペースに表現されている任意の画像の上に重ねて配置し、明暗調整を施して複合表示させる。
以上の（５）〜（８）の構成から成り、動画要素が埋め込まれた展開配置画像が表現されたシートを定められた折順で、且つ８工程で折り畳むことで、シートの折重なりによって組合せ変化した新たな意味を持つ４つの画像を４個所に表出させたり、動画要素を埋め込んだパターン画像に反応し、マスク機能を有する専用の動画視認用具を用いて作動させることにより、４コマ動画が得られることを特徴とする画像変化表示シート。
【請求項３】
画像変化と４コマ動画が得られる画像変化表示シートにおいて、
（９）請求項１内の（１）記載の１６分割構成された正方形で使用する画像と、請求項２内の（１）記載の６４分割構成された正方形で使用する２種類の画像を用意し、２つの画像サイズを同一サイズに調整したあと、正方形の片側同一面の画像配置スペースに重ねて配置するか、もしくは表裏別面に分離させて配置する。
（１０）４コマ動画の元になる連続する４枚の画像を合成分解する際に用いた４マス方眼ユニットと同じピッチを有し、且つ４マス方眼の４分の１マスを白色もしくは黒色で表現し、集合ドットパターンを構成して用意する。
（１１）上記の集合ドットパターンを動画要素のあるパターン画像として画像配置スペースに表現されている画像の上に重ねて配置し、明暗調整を施し複合表示させる。
以上の（９）〜（１１）の構成から成り、動画要素が埋め込まれた展開配置画像が表現されたシートを定められた折順で、且つ４工程で折り畳むことにより、シートの折重なりによって組合せ変化した新たな意味を持つ１つの画像を表出させたり、リセットして折り方を変え、当初と同じ面もしくは反対面を８工程で折り畳むことにより、新たな意味を持つ４つの画像を４個所に表出させたり、さらに動画要素を埋め込んだパターン画像に反応し、マスク機能を有する専用の動画視認用具を使用して、４コマ動画が得られることを特徴とする画像変化表示シート。